(57)【要約】【課題】開口部を指でふさぐことなく、片手で開封しやすく、内容物を容易に振り出すことが可能なカード状振り出し容器を提供する。【解決手段】カード状振り出し容器１０は、第１容器部材２０と第２容器部材４０とを備えている。第１容器部材２０の第１係合用突条３１と第２容器部材４０の第２係合用突条５１とが互いに嵌合することにより、第１容器部材２０と第２容器部材４０が組み立てられる。第１表面部材２１と第２表面部材４１との間に、側壁面１１が形成され、第１容器部材２０及び第２容器部材４０の少なくとも一方には開口部１２が形成されている。側壁面１１には、開口部１２をスライド自在に開閉するスライド蓋６０が設けられ、スライド蓋６０は、開放位置と閉鎖位置とをとり、開放位置において第１容器部材２０及び第２容器部材４０の少なくとも一方に対してロック可能となっている。【選択図】図２
2020128239.tif 000002
【特許請求の範囲】
【請求項１】
カード状振り出し容器であって、
第１表面部材を有する第１容器部材と、
前記第１表面部材の反対側に位置する第２表面部材を有するとともに、前記第１容器部材に組み付けられる第２容器部材とを備え、
前記第１容器部材の内面側に、複数の第１係合用突条が突設され、前記第２容器部材の内面側に、複数の第２係合用突条が突設され、
前記第１容器部材の前記複数の第１係合用突条と前記第２容器部材の前記複数の第２係合用突条とが互いに嵌合することにより、前記第１容器部材と前記第２容器部材が組み立てられ、
前記第１容器部材の前記第１表面部材と前記第２容器部材の前記第２表面部材との間に、側壁面が形成され、
前記第１容器部材及び前記第２容器部材の少なくとも一方には開口部が形成され、前記側壁面には、前記開口部をスライド自在に開閉するスライド蓋が設けられ、
前記スライド蓋は、前記開口部を開放する開放位置と、前記開口部を覆う閉鎖位置とをとり、
前記スライド蓋は、前記開放位置において前記第１容器部材及び前記第２容器部材の少なくとも一方に対してロック可能となっている、カード状振り出し容器。
【請求項２】
前記スライド蓋は、前記閉鎖位置において前記第１容器部材及び前記第２容器部材の少なくとも一方に対してロック可能となっている、請求項１記載のカード状振り出し容器。
【請求項３】
前記スライド蓋は、前記側壁面に沿ってスライド自在である、請求項１又は２記載のカード状振り出し容器。
【請求項４】
前記第１容器部材及び前記第２容器部材のうち少なくとも一方の内側に、前記開口部の近傍に位置する前記第１係合用突条又は前記第２係合用突条から延びるガイド部材が設けられている、請求項１乃至３のいずれか一項記載のカード状振り出し容器。
【請求項５】
前記スライド蓋の表面に、滑り止めの突起が形成されている、請求項１乃至４のいずれか一項記載のカード状振り出し容器。
【請求項６】
前記側壁面は、第１側壁面と、前記第１側壁面に直交する第２側壁面と、前記第１側壁面及び前記第２側壁面の両方に対して傾斜するように配置された傾斜側壁面とを有し、前記開口部は、前記傾斜側壁面に形成されている、請求項１乃至５のいずれか一項記載のカード状振り出し容器。
【発明の詳細な説明】
【技術分野】
【０００１】
本開示は、カード状振り出し容器に関する。
【背景技術】
【０００２】
従来、タブレット等の錠剤を収容する容器として、筒状の錠剤容器が知られている（例えば特許文献１参照）。このような錠剤容器は、有底筒状の筒容器本体と、筒容器本体の上端開口を開閉する蓋体とを有している。蓋体は、ヒンジ連結部を介して筒容器本体に回動可能に連結されている。
【先行技術文献】
【特許文献】
【０００３】
【特許文献１】特開２００８−１３３００１号公報
【発明の概要】
【発明が解決しようとする課題】
【０００４】
しかしながら、従来の錠剤容器において、内容物を振り出す際にヒンジ連結された蓋体を指で押さえる必要がある。この場合、指が開口部をふさいでしまい、内容物が取り出しにくくなってしまうおそれがある。
【０００５】
本開示は、開口部を指でふさぐことなく、片手で開封しやすく、内容物を容易に振り出すことが可能なカード状振り出し容器を提供する。 
【課題を解決するための手段】
【０００６】
本実施の形態によるカード状振り出し容器は、カード状振り出し容器であって、第１表面部材を有する第１容器部材と、前記第１表面部材の反対側に位置する第２表面部材を有するとともに、前記第１容器部材に組み付けられる第２容器部材とを備え、前記第１容器部材の内面側に、複数の第１係合用突条が突設され、前記第２容器部材の内面側に、複数の第２係合用突条が突設され、前記第１容器部材の前記複数の第１係合用突条と前記第２容器部材の前記複数の第２係合用突条とが互いに嵌合することにより、前記第１容器部材と前記第２容器部材が組み立てられ、前記第１容器部材の前記第１表面部材と前記第２容器部材の前記第２表面部材との間に、側壁面が形成され、前記第１容器部材及び前記第２容器部材の少なくとも一方には開口部が形成され、前記側壁面には、前記開口部をスライド自在に開閉するスライド蓋が設けられ、前記スライド蓋は、前記開口部を開放する開放位置と、前記開口部を覆う閉鎖位置とをとり、前記スライド蓋は、前記開放位置において前記第１容器部材及び前記第２容器部材の少なくとも一方に対してロック可能となっている。
【０００７】
本実施の形態によるカード状振り出し容器において、前記スライド蓋は、前記閉鎖位置において前記第１容器部材及び前記第２容器部材の少なくとも一方に対してロック可能となっていてもよい。
【０００８】
本実施の形態によるカード状振り出し容器において、前記スライド蓋は、前記側壁面に沿ってスライド自在であってもよい。
【０００９】
本実施の形態によるカード状振り出し容器において、前記第１容器部材及び前記第２容器部材のうち少なくとも一方の内側に、前記開口部の近傍に位置する前記第１係合用突条又は前記第２係合用突条から延びるガイド部材が設けられていてもよい。
【００１０】
本実施の形態によるカード状振り出し容器において、前記スライド蓋の表面に、滑り止めの突起が形成されていてもよい。
【００１１】
本実施の形態によるカード状振り出し容器において、前記側壁面は、第１側壁面と、前記第１側壁面に直交する第２側壁面と、前記第１側壁面及び前記第２側壁面の両方に対して傾斜するように配置された傾斜側壁面とを有し、前記開口部は、前記傾斜側壁面に形成されていてもよい。
【発明の効果】
【００１２】
本実施の形態によれば、開口部を指でふさぐことなく、片手で開封しやすく、内容物を容易に振り出すことができる。
【図面の簡単な説明】
【００１３】
【図１】図１は、本実施の形態によるカード状振り出し容器を示す斜視図であって、スライド蓋が閉鎖位置にある場合の図。
【図２】図２は、本実施の形態によるカード状振り出し容器を示す斜視図であって、スライド蓋が開放位置にある場合の図。
【図３】図３（ａ）は、カード状振り出し容器の第１容器部材を内面側から見た平面図であり、図３（ｂ）は、カード状振り出し容器の第１容器部材を示す側面図。
【図４】図４（ａ）は、カード状振り出し容器の第２容器部材を示す側面図であり、図４（ｂ）は、カード状振り出し容器の第２容器部材を内面側から見た平面図。
【図５】図５は、第１容器部材の第１係合用突条と第２容器部材の第２係合用突条とを示す断面図。
【図６】図６は、第１容器部材の第１中央突条と第２容器部材の第２中央突条とを示す断面図。
【図７】図７（ａ）は、スライド蓋の側面図であり、図７（ｂ）は、スライド蓋の平面図であり、図７（ｃ）は、スライド蓋の断面図（図７（ａ）のVIIC−VIIC線断面図）。
【図８】図８は、第１容器部材の第１スライド凹部を示す拡大平面図。
【図９】図９（ａ）−（ｃ）は、スライド蓋が開放位置と閉鎖位置との間で移動する状態を示す断面図（図８のIX−IX線断面図）。
【図１０】図１０は、スライド蓋を指で操作している状態を示す図。
【図１１】図１１は、第１の変形例によるカード状振り出し容器を示す側面図。
【図１２】図１２は、第２の変形例によるカード状振り出し容器を示す側面図。
【発明を実施するための形態】
【００１４】
以下、カード状振り出し容器の一実施の形態について、図１乃至図１０を用いて説明する。図１乃至図１０は、一実施の形態を示す図である。
【００１５】
図１及び図２に示すように、本実施の形態によるカード状振り出し容器（以下、振り出し容器ともいう）１０は、例えば、厚板状の円形状の錠剤であるタブレット等の内容物Ｔを複数個収容する容器である。この振り出し容器１０は、第１容器部材２０と、第１容器部材２０に組み付けられる第２容器部材４０とを備えている。また振り出し容器１０は、周縁に形成された側壁面１１を有し、側壁面１１の一部には、内容物Ｔを取り出すための開口部１２が形成されている。さらに側壁面１１には、開口部１２をスライド自在に開閉するスライド蓋６０が設けられている。このスライド蓋６０は、開口部１２を開放する開放位置（図２）と、開口部１２を覆う閉鎖位置（図１）とをとることができる。
【００１６】
次に、第１容器部材２０について説明する。図３（ａ）（ｂ）に示すように、第１容器部材２０は、第１表面部材２１と、第１表面部材２１の周囲に設けられた第１側壁部分２２とを有する。このうち第１表面部材２１は、平面視略長方形形状（角部が丸みを帯びた長方形形状）を有している。第１表面部材２１の外面には、平面視略長方形形状の第１スライド凹部２３が形成されている。この第１スライド凹部２３には、スライド蓋６０が収容され、第１スライド凹部２３に沿ってスライド蓋６０が摺動するようになっている（図１及び図２参照）。なお、本明細書中、「平面視」とは、第１表面部材２１及び第２表面部材４１の法線方向から見ることをいう。
【００１７】
また、第１側壁部分２２は、第１表面部材２１の周縁に沿って、第１表面部材２１から突出するように形成されている。第１側壁部分２２には、第１段部２４が形成されている。この第１段部２４は、後述する第２容器部材４０の第２段部４４と嵌合するようになっている。この第１側壁部分２２と、後述する第２容器部材４０の第２側壁部分４２とにより、振り出し容器１０の側壁面１１が構成される。また、第１側壁部分２２には、第１側壁部分２２を厚み方向に貫通する第１開口部分２５が形成されている。第１開口部分２５は、後述する第２容器部材４０の第２開口部分４５と対応しており、第１開口部分２５と第２開口部分４５とによって、振り出し容器１０の開口部１２が形成される。さらに第１側壁部分２２のうち第１開口部分２５に隣接する部分には、略長方形形状の第１側壁凹部２６が形成されている。この第１側壁凹部２６には、スライド蓋６０が収容され、第１側壁凹部２６に沿ってスライド蓋６０が摺動するようになっている。なお、第１側壁部分２２の高さＨ１は、第１開口部分２５及び第１側壁凹部２６を除き、周方向に略一定となっている。
【００１８】
次に、第２容器部材４０について説明する。図４（ａ）（ｂ）に示すように、第２容器部材４０は、第２表面部材４１と、第２表面部材４１の周囲に設けられた第２側壁部分４２とを有する。このうち第２表面部材４１は、平面視略長方形形状（角部が丸みを帯びた長方形形状）を有している。なお、第２表面部材４１の形状は、第１表面部材２１の形状と略同一となっている。この第２表面部材４１は、第１容器部材２０と第２容器部材４０とを組み立てた状態で、第１表面部材２１の反対側に位置し、第１表面部材２１と第２表面部材４１と側壁面１１とにより、内容物Ｔを収容する空間が構成される。第２表面部材４１の外面には、平面視略長方形形状の第２スライド凹部４３が形成されている。この第２スライド凹部４３には、スライド蓋６０が収容され、第２スライド凹部４３に沿ってスライド蓋６０が摺動するようになっている。
【００１９】
また、第２側壁部分４２は、第２表面部材４１の周縁に沿って、第２表面部材４１から突出するように形成されている。第２側壁部分４２には、第２段部４４が形成されている。また、第２側壁部分４２には、第２側壁部分４２を厚み方向に貫通する第２開口部分４５が形成されている。さらに第２側壁部分４２のうち第２開口部分４５に隣接する部分には、略長方形形状の第２側壁凹部４６が形成されている。この第２側壁凹部４６には、スライド蓋６０が収容され、第２側壁凹部４６に沿ってスライド蓋６０が摺動するようになっている。なお、第２側壁部分４２の高さＨ２は、第２開口部分４５及び第２側壁凹部４６を除き、周方向に略一定となっている。
【００２０】
図３（ａ）（ｂ）に示すように、第１容器部材２０の内面側に、複数の第１係合用突条３１が配置されている。この複数の第１係合用突条３１は、第１表面部材２１から内側に向けて突設されている。この場合、第１係合用突条３１は、第１側壁部分２２の内側に沿って６箇所設けられているが、第１係合用突条３１の数や場所はこれに限定されるものではない。さらに、第１容器部材２０の内面側中央には、第１中央突条３２が配置されている。この第１中央突条３２は、第１表面部材２１から内側に向けて突設されている。
【００２１】
また、第１容器部材２０の内側において、第１開口部分２５の近傍に位置する１つの第１係合用突条３１から第１側壁部分２２まで延びる第１ガイド部材３３が設けられている。この第１ガイド部材３３は、第１開口部分２５の一端（第１側壁凹部２６の反対側端部）近傍の第１係合用突条３１から第１側壁部分２２まで傾斜して延びる板状の部材からなる。このように、第１ガイド部材３３を設けたことにより、内容物Ｔが第１係合用突条３１に引っ掛かることなく開口部１２まで導きやすくすることができる。また、第１容器部材２０の他の第１係合用突条３１から第１側壁部分２２まで延びる第２ガイド部材３４が設けられている。第２ガイド部材３４は、第１側壁凹部２６の一端（第１開口部分２５の反対側端部）近傍の第１係合用突条３１から第１側壁部分２２まで傾斜して延びる板状の部材からなる。第２ガイド部材３４を設けたことにより、内容物Ｔが第１係合用突条３１に引っ掛からないように誘導することができる。
【００２２】
また、図４（ａ）（ｂ）に示すように、第２容器部材４０の内面側に、複数の第２係合用突条５１が配置されている。この複数の第２係合用突条５１は、第２表面部材４１から内側に向けて突設されている。この場合、各第２係合用突条５１は、第１容器部材２０の各第１係合用突条３１に対応する位置に配置されている。さらに、第２容器部材４０の内面側中央には、第２中央突条５２が配置されている。この第２中央突条５２は、第１容器部材２０の第１中央突条３２に対応する位置に配置されている。
【００２３】
第２容器部材４０の内側において、第２開口部分４５の近傍に位置する１つの第２係合用突条５１から第２側壁部分４２まで延びる第３ガイド部材５３が設けられている。この第３ガイド部材５３は、第２開口部分４５の一端（第２側壁凹部４６の反対側端部）近傍の第２係合用突条５１から第２側壁部分４２まで傾斜して延びる板状の部材からなる。第３ガイド部材５３は、第１容器部材２０の第１ガイド部材３３に対応する位置に設けられている。このように、第３ガイド部材５３を設けたことにより、内容物Ｔが第２係合用突条５１に引っ掛かることなく開口部１２まで導きやすくすることができる。また、第２容器部材４０の他の第２係合用突条５１から第２側壁部分４２まで延びる第４ガイド部材５４が設けられている。第４ガイド部材５４は、第２側壁凹部４６の一端（第２開口部分４５の反対側端部）近傍の第２係合用突条５１から第２側壁部分４２まで傾斜して延びる板状の部材からなる。第４ガイド部材５４は、第１容器部材２０の第２ガイド部材３４に対応する位置に設けられている。第４ガイド部材５４を設けたことにより、内容物Ｔが第２係合用突条５１に引っ掛からないように誘導することができる。なお、このようなガイド部材は、第１容器部材２０及び第２容器部材４０のいずれか一方のみに設けられていても良い。
【００２４】
第１容器部材２０と第２容器部材４０とを組み付ける場合、第１容器部材２０の複数の第１係合用突条３１と第２容器部材４０の複数の第２係合用突条５１とが互いに嵌合する。これにより、第１容器部材２０と第２容器部材４０が互いに組み立てられる。すなわち図５に示すように、第１容器部材２０の第１係合用突条３１は、第１基部３５と、第１基部３５から外方に突出する嵌合突起３６とを有している。また第１係合用突条３１には、中央に突条溝３７が形成されている。一方、第２容器部材４０の第２係合用突条５１は、円筒状の第２基部５５と、第２基部５５から内方に突出する係止突起５６とを有している。第１係合用突条３１の嵌合突起３６が第２係合用突条５１の係止突起５６に係合することにより、第１係合用突条３１と第２係合用突条５１とが互いに嵌合される。これにより、第１容器部材２０と第２容器部材４０とが互いに容易に外れないように組み付けられる。
【００２５】
一方、図６に示すように、第１容器部材２０の第１中央突条３２は、第１表面部材２１内側に向けて突出する円柱状の中央突起３８を有している。一方、第２容器部材４０の第２中央突条５２は、円筒状の中央凹部５７を有している。そして第１容器部材２０と第２容器部材４０とが互いに組み付けられた際、第１中央突条３２の中央突起３８が第２中央突条５２の中央凹部５７に収容される。これにより、第１表面部材２１及び第２表面部材４１の中央部における変形を抑制することができる。
【００２６】
次に、スライド蓋６０について、図７（ａ）−（ｃ）を参照して説明する。スライド蓋６０は、振り出し容器１０の側壁面１１に沿って摺動するように設けられ、開口部１２をスライド自在に開閉するものである。図７（ａ）−（ｃ）に示すように、スライド蓋６０は断面コ字形状であり、第１容器部材２０側の第１面６１と、第２容器部材４０側の第２面６２と、側壁面１１側の第３面６３とを有する。
【００２７】
第１面６１は、第１容器部材２０の第１スライド凹部２３（図１乃至図３参照）に収容され、第１スライド凹部２３内で摺動する。また、第２面６２は、第２容器部材４０の第２スライド凹部４３（図２及び図４参照）に収容され、第２スライド凹部４３内で摺動する。第１面６１及び第２面６２の外面は、それぞれ第１表面部材２１及び第２表面部材４１の外面と面一としても良い。第１面６１及び第２面６２の内側には、それぞれ第１係合突起６４及び第２係合突起６５が形成されている。第１係合突起６４及び第２係合突起６５は、それぞれ略半球形状を有している。このうち第１係合突起６４は、スライド蓋６０が閉鎖位置（図１参照）にあるとき、第１スライド凹部２３及び第２スライド凹部４３の第１係合凹部７１（図８及び図９参照）にそれぞれ係合する。一方、第２係合突起６５は、スライド蓋６０が開放位置（図２参照）にあるとき、第１スライド凹部２３及び第２スライド凹部４３の第２係合凹部７２（図８及び図９参照）にそれぞれ係合する。
【００２８】
第３面６３は、第１面６１と第２面６２とを互いに連結しており、スライド蓋６０を開閉するとき使用者の指によって操作される部分である。この第３面６３は、第１容器部材２０の第１側壁凹部２６（図１及び図３参照）及び第２容器部材４０の第２側壁凹部４６（図１及び図４参照）に収容され、第１側壁凹部２６及び第２側壁凹部４６内で摺動する。第３面６３の外面は、側壁面１１よりも内側（第１側壁凹部２６及び第２側壁凹部４６側）に位置していても良い。第３面６３の外側には、複数（この場合は４つ）の滑り止めの突起６６が形成されている。複数の突起６６は、第３面６３の摺動方向（図７（ａ）の上下方向）に沿って等間隔を空けて配置されている。各突起６６はリブ状に形成されており、各突起６６の幅は第３面６３の幅（図７（ａ）の左右方向）よりも短い。この滑り止め用の突起６６は、スライド蓋６０を開閉するとき使用者の指が滑らないように形成されている。なお滑り止めの突条６６は第３面６３の他、第１面６１及び第２面６２に形成されていても良い。
【００２９】
図８は、第１容器部材２０の第１スライド凹部２３を第１表面部材２１の法線方向から見た拡大図である。図８に示すように、第１スライド凹部２３は、第１係合凹部７１と、第１係合凹部７１から離間して配置された第２係合凹部７２とを有している。また第１係合凹部７１と第２係合凹部７２との間には、中間溝７３が形成されている。さらに、第１係合凹部７１と中間溝７３との間には、閉鎖側凸部７４が形成され、第２係合凹部７２と中間溝７３との間には、開放側凸部７５が形成されている。第１係合凹部７１及び第２係合凹部７２は、それぞれスライド蓋６０の第１係合突起６４及び第２係合突起６５に対応する形状であり、略半球形状を有している。また中間溝７３は、第１係合突起６４及び第２係合突起６５が内部を摺動する溝であり、平面視略直線形状を有している。なお、第２容器部材４０の第２スライド凹部４３も、第１スライド凹部２３と略同様の形状を有している。
【００３０】
上述したように、スライド蓋６０は、開口部１２を開放する開放位置（図２）と、開口部１２を覆う閉鎖位置（図１）とをとる。図９（ａ）−（ｃ）は、スライド蓋６０及び第１側壁凹部２６を示す断面図である。このうち図９（ａ）は、スライド蓋６０が閉鎖位置にあるときを示し、図９（ｂ）は、スライド蓋６０が閉鎖位置と開放位置の間にあるときを示している。図９（ｃ）は、スライド蓋６０が開放位置にあるときを示している。
【００３１】
図９（ａ）に示すように、スライド蓋６０が閉鎖位置にあるとき、スライド蓋６０の第１係合突起６４が、第１容器部材２０の第１係合凹部７１に係合する。このとき、閉鎖側凸部７４によって第１係合突起６４の移動が規制される。これにより、スライド蓋６０が第１容器部材２０にロックされる。
【００３２】
図９（ｂ）に示すように、スライド蓋６０が閉鎖位置と開放位置との間にあるとき、スライド蓋６０の第１係合突起６４及び第２係合突起６５は、中間溝７３の内部を移動自在となっている。このため、スライド蓋６０は、ロックされることなく中間溝７３の長手方向（図９（ｂ）の左右方向）に移動自在となっている。なお、スライド蓋６０の第１面６１及び第２面６２に設けられた第１係合突起６４及び第２係合突起６５が、それぞれ中間溝７３に嵌まり込んでいるため、スライド蓋６０が第１容器部材２０及び第２容器部材４０から脱落することはない。
【００３３】
図９（ｃ）に示すように、スライド蓋６０が開放位置にあるとき、スライド蓋６０の第２係合突起６５が、第１容器部材２０の第２係合凹部７２に係合する。このとき、開放側凸部７５によって第２係合突起６５の移動が規制される。これにより、スライド蓋６０が第１容器部材２０にロックされる。
【００３４】
なお、本実施の形態において、第２容器部材４０の第２側壁凹部４６も第１側壁凹部２６と略同一の形状を有している。したがって、スライド蓋６０が閉鎖位置及び開放位置にあるとき、スライド蓋６０は、第２容器部材４０にもロックされる。しかしながら、これに限らず、第１係合凹部７１及び第２係合凹部７２を第１容器部材２０及び第２容器部材４０の一方のみに設けても良い。この場合、スライド蓋６０は、第１容器部材２０及び第２容器部材４０の一方にロックされても良い。
【００３５】
上述した第１容器部材２０及び第２容器部材４０の材料としては、例えばポリプロピレン（ＰＰ）等の合成樹脂を用いることができる。第１容器部材２０及び第２容器部材４０を作製する方法としては、射出成形法を挙げることができる。また、スライド蓋６０の材料としては、例えばポリプロピレン（ＰＰ）又はＡＢＳ樹脂等の合成樹脂を用いることができる。スライド蓋６０を作製する方法としては、射出成形法を挙げることができる。
【００３６】
次に、このような構成からなる本実施の形態について説明する。具体的には、振り出し容器１０から、タブレット等の内容物Ｔを取り出す際の作用について、説明する。
【００３７】
はじめに、図１に示すように、スライド蓋６０が閉鎖位置にあり、スライド蓋６０は側壁面１１の開口部１２を閉鎖している。このときスライド蓋６０の各第１係合突起６４が、各第１係合凹部７１に係合し、各閉鎖側凸部７４によって第１係合突起６４の移動が規制される（図９（ａ）参照）。これにより、スライド蓋６０が、閉鎖位置において第１容器部材２０及び第２容器部材４０にロックされる。なお、このときスライド蓋６０の各第２係合突起６５は、各中間溝７３に配置される。
【００３８】
次に、スライド蓋６０を側壁面１１に沿ってスライドさせ、スライド蓋６０を閉鎖位置から開放位置まで移動する。このとき、図１０に示すように、使用者は、片手で振り出し容器１０の側面を握ったまま、親指又は人差し指でスライド蓋６０を移動させる。この際、スライド蓋６０の各第１係合突起６４が、各閉鎖側凸部７４を乗り越え、各中間溝７３に移動する。これにより、スライド蓋６０のロックが解除される（図９（ｂ）参照）。
【００３９】
その後、使用者はさらにスライド蓋６０を移動させることにより、スライド蓋６０を開放位置にロックする（図２）。この間、スライド蓋６０の各第２係合突起６５が、各開放側凸部７５を乗り越え、各第２係合凹部７２に収容される。これにより、スライド蓋６０は、開放位置において、第１容器部材２０及び第２容器部材４０に対してロックされる。なお、このときスライド蓋６０の各第１係合突起６４は、各中間溝７３に配置される。
【００４０】
このように、スライド蓋６０が開放位置にロックされることにより、開口部１２が開放される。その後、使用者は、振り出し容器１０を振ることにより、内容物Ｔを振り出し容器１０から取り出すことができる。
【００４１】
内容物Ｔを取り出した後、使用者は、上記と逆の手順でスライド蓋６０を開放位置から閉鎖位置に移動し、スライド蓋６０を第１容器部材２０及び第２容器部材４０に対してロックする。
【００４２】
このように本実施の形態によれば、スライド蓋６０は、開放位置において第１容器部材２０及び第２容器部材４０に対してロック可能となっている。これにより、スライド蓋６０を開放位置としたとき、スライド蓋６０を指で押さえなくても開口部１２が開放された状態を維持することができる。このため、内容物Ｔを振り出し容器１０から振り出す際、振り出し容器１０を振った勢い等でスライド蓋６０が閉まってしまうことがなく、内容物Ｔを取り出しやすくなっている。この結果、開口部１２を指でふさぐことなく、片手で開封しやすく、内容物Ｔを容易に振り出すことが可能な振り出し容器１０を得ることができる。
【００４３】
また本実施の形態によれば、スライド蓋６０は、閉鎖位置において第１容器部材２０及び第２容器部材４０に対してロック可能となっている。これにより、スライド蓋６０を閉鎖位置としたとき、スライド蓋６０を指で押さえなくても開口部１２が閉鎖された状態を維持することができる。このため、内容物Ｔを取り出す必要がないときに、スライド蓋６０が誤って移動し、開口部１２から内容物Ｔがこぼれ出てしまうおそれがない。
【００４４】
また本実施の形態によれば、スライド蓋６０は、側壁面１１に沿ってスライド自在である。この場合、スライド蓋６０は右手でも左手でもスライド操作させることができるので、利き手が右手であるか左手であるかを問わず、スライド蓋６０を操作しやすくなっている。
【００４５】
また本実施の形態によれば、第１容器部材２０及び第２容器部材４０の内側に、開口部１２の近傍に位置する第１係合用突条３１又は第２係合用突条５１から延びる第１ガイド部材３３乃至第４ガイド部材５４が設けられている。これにより、振り出し容器１０内で内容物Ｔが第１係合用突条３１又は第２係合用突条５１に引っ掛かることを抑え、内容物Ｔを開口部１２までスムーズに誘導することができる。また、第１ガイド部材３３乃至第４ガイド部材５４が設けられていることにより、これらが補強リブとしての役割を果たし、開口部１２周辺における第１容器部材２０及び第２容器部材４０の強度を高めることができる。
【００４６】
また本実施の形態によれば、スライド蓋６０の表面に、滑り止めの突起６６が形成されている。これにより、指が滑ることなくスライド蓋６０を開閉することができる。
【００４７】
（変形例）
次に、図１１及び図１２を参照して、カード状振り出し容器の変形例について説明する。図１１及び図１２は、それぞれカード状振り出し容器の変形例を示す平面図である。図１１及び図１２において、図１乃至図１０に示す形態と同一部分には同一の符号を付して詳細な説明は省略する。
【００４８】
（第１の変形例）
図１１に示す振り出し容器１０Ａは、平面視略五角形形状（角が丸みを帯びた五角形形状）を有している。この場合、側壁面１１は、一対の第１側壁面８１と、第１側壁面に直交する一対の第２側壁面８２と、第１側壁面８１及び第２側壁面８２の両方に対して傾斜するように配置された傾斜側壁面８３とを有している。図１１において、開口部１２は、傾斜側壁面８３に形成されている、傾斜側壁面８３には、開口部１２をスライド自在に開閉するスライド蓋６０が設けられている。このスライド蓋６０は、開口部１２を開放する開放位置（実線）と、開口部１２を覆う閉鎖位置（仮想線）とをとることができる。図１１に示す変形例によれば、傾斜側壁面８３にスライド蓋６０が設けられているので、使用者は片手で振り出し容器１０Ａを握ったまま、親指又は人差し指で傾斜側壁面８３のスライド蓋６０を操作しやすい。
【００４９】
（第２の変形例）
図１２に示す振り出し容器１０Ｂにおいて、開口部７８は、第１容器部材２０の第１スライド凹部２３に形成されており、側壁面１１には形成されていない。この開口部７８は、平面視円形形状であり、１個の内容物Ｔが通過可能な程度の大きさを有している。スライド蓋６０は、第１容器部材２０に設けられた開口部７８をスライド自在に開閉するものである。このスライド蓋６０は、開口部７８を開放する開放位置（実線）と、開口部７８を覆う閉鎖位置（仮想線）とをとることができる。図１２に示す変形例によれば、開口部７８が第１スライド凹部２３に形成されているので、内容物Ｔを１個ずつ振り出しやすくなっており、内容物Ｔが複数個同時に出てしまうおそれが低い。
【００５０】
本開示は上記実施の形態そのままに限定されるものではなく、実施段階ではその要旨を逸脱しない範囲で構成要素を変形して具体化できる。また、上記実施の形態に開示されている複数の構成要素の適宜な組み合わせにより、種々の発明を形成できる。実施の形態に示される全構成要素から幾つかの構成要素を削除してもよい。
【符号の説明】
【００５１】
１０        カード状振り出し容器
１１        側壁面
１２        開口部
２０        第１容器部材
２１        第１表面部材
２２        第１側壁部分
２３        第１スライド凹部
２５        第１開口部分
２６        第１側壁凹部
３１        第１係合用突条
３２        第１中央突条
３３        第１ガイド部材
３４        第２ガイド部材
４０        第２容器部材
４１        第２表面部材
４２        第２側壁部分
４３        第２スライド凹部
４５        第２開口部分
４６        第２側壁凹部
５１        第２係合用突条
５２        第２中央突条
５３        第３ガイド部材
５４        第４ガイド部材
６０        スライド蓋
６４        第１係合突起
６５        第２係合突起
６６        突起
【図１】
2020128239.tif 000003
【図２】
2020128239.tif 000004
【図３】
2020128239.tif 000005
【図４】
2020128239.tif 000006
【図５】
2020128239.tif 000007
【図６】
2020128239.tif 000008
【図７】
2020128239.tif 000009
【図８】
2020128239.tif 000010
【図９】
2020128239.tif 000011
【図１０】
2020128239.tif 000012
【図１１】
2020128239.tif 000013
【図１２】
2020128239.tif 000014